(57)【要約】【課題】  必要とされるサイズの裁断時の負荷を軽減し、顧客によって使い勝手のよい写真撮影装置を提供することである。【解決手段】  顧客により入力された指示情報に従って顧客を撮影し、その撮影画像を記録媒体にプリントする写真撮影装置において、記録媒体にプリントすべき撮影画像のプリントサイズが入力される操作部６０と、プリントされる撮影画像に対して、撮影画像の輪郭線上に非切断部と切断部とが連続してプリント用紙の厚さ方向を切断する裁断処理を実行する裁断ユニット９０とを備えることを特徴とする写真撮影装置。【選択図】図４
2006189534.tif 000002
【特許請求の範囲】
【請求項１】
顧客により入力された指示情報に従って当該顧客を撮影し、その撮影画像を記録媒体にプリントする写真撮影装置において、
前記記録媒体上にプリントすべき撮影画像のサイズ情報が入力されるサイズ入力手段と、
前記サイズ入力手段から入力されたサイズ情報に従って前記撮影画像を記録媒体上にプリントさせる制御手段と、
を備えることを特徴とする写真撮影装置。
【請求項２】
請求項１に記載の写真撮影装置において、
前記入力手段は、テンキーを有すること、
を特徴とする写真撮影装置。
【請求項３】
請求項１又は２に記載の写真撮影装置において、
プリントすべき前記撮影画像の画像数情報が入力される画像数入力手段を備え、
前記制御手段は、
前記画像数入力手段から入力された画像数情報に対応する画像数分の撮影画像を前記記録媒体にプリントさせること、
を特徴とする写真撮影装置。
【請求項４】
請求項３に記載の写真撮影装置において、
前記制御手段は、
前記サイズ入力手段から入力されたサイズ情報と前記画像数入力手段から入力された画像数情報とに基づいて、予め定められているプリント可能範囲内に対してプリント可能な最大画像数を算出し、算出されたプリント可能な最大画像数を表示させること、
を特徴とする写真撮影装置。
【請求項５】
請求項１から４のいずれか一項に記載の写真撮影装置において、
前記記録媒体上にプリントされた撮影画像に対して、当該撮影画像における前記サイズ情報に応じて、当該撮影画像の輪郭線上に非切断部と切断部とが連続して前記記録媒体の厚さ方向を切断する裁断処理を実行する裁断手段を備えること、
を特徴とする写真撮影装置。
【請求項６】
請求項５に記載の写真撮影装置において、
前記裁断手段により裁断処理が実行される撮影画像を選択させる裁断選択手段を備えること、
を特徴とする写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドに従って顧客自ら撮影操作を行うことにより、簡単かつ短時間でプリント写真を得ることができる。
【０００３】
証明写真等のサイズは、国あるいは用途によってサイズが多種多様であり、そのすべてのサイズに適合するプリント写真を提供することは困難であるため、汎用的な複数のサイズでプリントし、顧客は、プリントされた複数のサイズのプリント写真から必要とするサイズに一番近いプリント写真を選択し、更に必要とするサイズに裁断しなくてはならならず、顧客にとって煩雑で使い勝手のよいものではなかった。
【０００４】
そこで、印刷の際に画像データとともにメジャーや複数のトンボ線を付加して印刷する証明写真システムが開示されている（特許文献１参照）。
【特許文献１】特開２００４−６４４７６号公報
【発明の開示】
【発明が解決しようとする課題】
【０００５】
しかしながら、特許文献１によれば、顧客が必要とするサイズに裁断するための補助的な目盛を画像と共にプリントしたにすぎず、目盛を数えて必要とするサイズとなる枠を作成しなくてはならないという手間があり、使い勝手のよいものではない。また、トンボ線を印刷した場合であっても、多種多様のサイズに対応したトンボ線を全てプリントすることは困難である。
【０００６】
本発明の課題は、必要とされるサイズの裁断時の負荷を軽減し、顧客によって使い勝手のよい写真撮影装置を提供することである。
【課題を解決するための手段】
【０００７】
請求項１に記載の発明は、顧客により入力された指示情報に従って当該顧客を撮影し、その撮影画像を記録媒体にプリントする写真撮影装置において、前記記録媒体上にプリントすべき撮影画像のサイズ情報が入力されるサイズ入力手段と、前記サイズ入力手段から入力されたサイズ情報に従って前記撮影画像を記録媒体上にプリントさせる制御手段と、を備える写真撮影装置であること、を特徴としている。
【０００８】
請求項２に記載の発明は、請求項１に記載の写真撮影装置において、前記入力手段は、テンキーを有すること、を特徴としている。
【０００９】
請求項３に記載の発明は、請求項１又は２に記載の写真撮影装置において、プリントすべき前記撮影画像の画像数情報が入力される画像数入力手段を備え、前記制御手段は、前記画像数入力手段から入力された画像数情報に対応する画像数分の撮影画像を前記記録媒体にプリントさせること、を特徴としている。
【００１０】
請求項４に記載の発明は、請求項３に記載の写真撮影装置において、前記制御手段は、前記サイズ入力手段から入力されたサイズ情報と前記画像数入力手段から入力された画像数情報とに基づいて、予め定められているプリント可能範囲内に対してプリント可能な最大画像数を算出し、算出されたプリント可能な最大画像数を表示させること、を特徴としている。
【００１１】
請求項５に記載の発明は、請求項１から４のいずれか一項に記載の写真撮影装置において、前記記録媒体上にプリントされた撮影画像に対して、当該撮影画像における前記サイズ情報に応じて、当該撮影画像の輪郭線上に非切断部と切断部とが連続して前記記録媒体の厚さ方向を切断する裁断処理を実行する裁断手段を備えること、を特徴としている。
【００１２】
請求項６に記載の発明は、請求項５に記載の写真撮影装置において、前記裁断手段により裁断処理が実行される撮影画像を選択させる裁断選択手段を備えること、を特徴としている。
【発明の効果】
【００１３】
請求項１に記載の発明によれば、顧客が所望のサイズ情報を設定することができ、設定されたサイズ情報に従って撮影画像がプリントされるため、必要とされるサイズに裁断する時の負荷を軽減し、顧客によって使い勝手のよい写真撮影装置を提供することができる。
【００１４】
請求項２に記載の発明によれば、請求項１と同様の効果を得られるのは勿論のこと、前記サイズ入力手段としてテンキーを用いることができるため、容易にサイズ情報の入力を行うことができる。
【００１５】
請求項３に記載の発明によれば、請求項１又は２と同様の効果を得られるのは勿論のこと、顧客が所望する画像数情報を設定することができる。
【００１６】
請求項４に記載の発明によれば、請求項３と同様の効果を得られるのは勿論のこと、予め定められているプリント可能範囲内においてプリント可能な最大画像数が算出され、算出されたプリント可能な最大画像数が表示されることにより、顧客に対してプリント可能な最大画像数から所望する画像数を選択させることができるため、顧客に対する利便性を向上させることができる。
【００１７】
請求項５に記載の発明によれば、請求項１から４のいずれか一項と同様の効果を得られるのは勿論のこと、設定されたサイズ情報に従って撮影画像が裁断処理されているため、裁断時の負荷を軽減することができる。
【００１８】
請求項６に記載の発明によれば、請求項５と同様の効果を得られるのは勿論のこと、裁断処理が実行される撮影画像を選択させることができるため、顧客が所望する撮影画像のみに対して裁断処理を行うことができ、顧客に対する利便性を向上させることができる。
【発明を実施するための最良の形態】
【００１９】
以下、図を参照して本発明の実施の形態を詳細に説明する。
まず、構成を説明する。
図１に、本実施の形態における写真撮影装置１の概略構成図を示す。
【００２０】
図１に示すように、写真撮影装置１は、ボックス型に形成されており、その外壁にはプリントされた写真を取り出す取出口７１が設置されており、ボックス内部（以下、撮影室Ｒという）には、被撮影者としての顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、操作指示するための操作部６０、顧客Ｍが撮影室内に入室したことを検出するための入室センサＳ、撮影料金を精算するためのコインメック５０が設置されている。
【００２１】
図２に、写真撮影装置１の内部構成を示す。
図２に示すように、写真撮影装置１は、本体部１０、ストロボユニット２０、デジタルカメラ３０、表示部４０、コインメック５０、サイズ入力手段、画像数入力手段及び裁断選択手段としての操作部６０、プリンタ部７０、通信部８０、裁断手段としての裁断ユニット９０、入室センサＳを備えて構成されている。
【００２２】
本体部１０は、制御部１１０、Ｉ／Ｏコントロール１２０、ＲＯＭ（Read Only Memory）１３０、ＲＡＭ（Random Access Memory）１４０、ＤＶＤ（Digital Versatile Disk-R）１５０、記憶部１６０、Ｉ／Ｆ１７０から構成されており、Ｉ／Ｏコントロール１２０を介してストロボユニット２０、コインメック５０、スピーカ５５、操作部６０、裁断ユニット９０に接続されるとともに、Ｉ／Ｆ１７０を介してプリンタ部７０に接続されている。また、制御部１１０、ＲＯＭ１３０、ＲＡＭ１４０、ＤＶＤ１５０、記憶部１６０の協働により制御手段が実現される。
【００２３】
制御部１１０は、ＲＯＭ１３０に記憶されているシステムプログラムや各種データ、本発明に係る撮影プリント処理プログラム（図４参照）やプリントサイズ・画像数設定処理プログラム（図５参照）及び記憶部１６０に記憶されている規格サイズデータテーブル１６１等の各種プログラムやデータを読み出してＲＡＭ１４０に展開し、当該プログラムに従って各部の動作を集中制御する。また、制御部１１０は、画像処理プログラムとの協働により、撮影画像に対し、階調変換処理、鮮鋭性強調処理、トリミング、サイズ調整等の各種画像処理を施す画像処理機能を有している。
【００２４】
撮影プリント処理プログラムによって実行される撮影プリント処理は、操作画面及びアナウンス音声のデータをＤＶＤ１５０から読み出して順次操作画面を表示部４０に表示させるとともに、表示中の操作画面に応じたアナウンス音声をスピーカ５５から出力させる。また、操作画面においてプリント条件が選択操作されると、当該選択されたプリント条件の情報をＲＡＭ１４０に一時記憶させて設定する。
【００２５】
また、後述するプリントサイズ・画像数設定処理プログラムによって実行されるプリントサイズ・画像数設定処理によりプリントサイズとプリント画像数が設定されプリントイメージが設定されると、裁断処理を行う撮影画像（裁断画像）を選択させる裁断選択画面を表示部４０に表示させる。そして、裁断画像が選択された後、選択された裁断画像をＲＡＭ内に一時記憶させて設定する。
【００２６】
更に、撮影指示の操作がなされると、ストロボユニット２０及びデジタルカメラ３０を制御して撮影が行われ、撮影画像のデータが生成されると生成された撮影画像に対してプリント出力用の画像処理が施され、ＲＡＭ１４０から読み出された設定されたプリントイメージに処理画像が合成されてプリントデータが生成され、プリンタ部７０に出力される。
【００２７】
プリントサイズ・画像数設定処理では、後述する規格サイズデータテーブル１６１内から一般用途サイズデータ群１６１ａが記憶部１６０から読出され、一般用途サイズ又はその他のプリントサイズが選択される写真種選択画面が表示部４０に表示される。その他のプリントサイズが選択操作された場合、プリントサイズの縦横の長さの値を操作部６０から直接入力するか否かのサイズ入力選択画面が表示され、プリントサイズの設定が行われる。また、プリントサイズが設定された場合、プリント可能範囲内でのプリント可能最大画像数が算出され、プリント画像数設定画面が表示部４０に表示される。表示部４０に表示されたプリント画像数設定画面に対する顧客の操作指示に応じてプリント画像数が設定されると、設定されたプリントサイズとプリント画像数とが対応付けられ、プリントイメージとしてＲＡＭ１４０内に一時記憶される。
【００２８】
なお、プリントされる画像において、上下方向を縦、左右方向を横とし、プリントされる画像の縦の長さ及び横の長さによって定められるサイズ情報をプリントサイズとし、プリントすべき撮影画像の画像数情報をプリント画像数という。
【００２９】
Ｉ／Ｏコントロール１２０は、本体部１０と、ストロボユニット２０、コインメック５０、操作部６０、裁断ユニット９０との間で情報のやり取りを仲介するインターフェイスであり、制御部１１０からの制御信号をストロボユニット２０、コインメック５０、裁断ユニット９０に送信するとともに操作部６０からの操作信号を制御部１１０に送信する。
【００３０】
ＲＯＭ１３０は、システムプログラムの他、プリント処理プログラム、撮影処理プログラム等の各種制御プログラム、プリント処理プログラム、プリントサイズ・画像数設定処理プログラム及び各プログラムで処理されたデータ等を記憶する。
【００３１】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００３２】
ＤＶＤ１５０は、デジタルカメラ３０により撮影された撮影画像（原画像）の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００３３】
記憶部１６０は、規格サイズデータテーブル１６１を記憶している。
図３に、規格サイズデータテーブル１６１の一例を示す。
図３に示すように、規格サイズデータテーブル１６１は、予め設定された複数の国名を示す国名データ１６３、国名データ１６３に対応付けられた用途データ１６４、用途データに対応付けられた縦の長さデータ１６５ａ及び横の長さデータ１６５ｂからなるプリントサイズとしてのプリントサイズを有し、各データには、各データを識別するための記号又は符号等から成るプリントサイズナンバー１６２が対応付けられている。
【００３４】
また、規格サイズデータ１６１は、一般用途サイズデータ群１６１ａと特殊用途サイズデータ群１６１ｂとを有する。一般用途サイズデータ群１６１ａは、予め設定された複数のプリントサイズであり、写真撮影装置１の使用頻度が多い用途（例えば、パスポート、自動車運転免許証、履歴書等）毎のプリントサイズが記憶されている。特殊用途サイズデータ群１６１ｂは、一般用途サイズデータ群１６１ａ以外の用途のプリントサイズが記憶されている。
【００３５】
記憶部１６０は、書き換え可能な不揮発性の記憶媒体であればよく、ＨＤＤ（Hard Disk Drive）、ＭＲＡＭ（Magnetic Random Access Memory）又はフラッシュメモリなどで構成されていても良く、この限りではない。また、記憶部１６０は、制御基板等に固定的に設けられるもの、若しくは着脱自在に装着するものであってもよく、通信部８０を介して、規格サイズデータテーブル１６１が書き換え可能なものが好ましい。
【００３６】
なお、本実施の形態では、規格サイズデータ１６１は、写真撮影装置１の記憶部１６０に記憶されている場合について説明するが、ホストサーバ３に記憶されていてもよく、また、一般用途サイズデータ群１６１ａと特殊用途サイズデータ群１６１ｂとが異なる記憶手段に記憶されていてもよい（例えば、一般用途サイズデータ群１６１ａが写真撮影装置１の記憶部１６０に記憶され、特殊用途サイズデータ群１６１ｂがホストサーバ３に記憶される場合等）。
【００３７】
Ｉ／Ｆ１７０は、本体部１０と、プリンタ部７０との間で情報のやり取りを仲介するインターフェイスであり、制御部１１０で生成されたプリントデータを本体部１０からプリンタ７０へ送信する。
【００３８】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行う発光手段である。
【００３９】
デジタルカメラ３０は、シャッター、光学レンズ、ＣＣＤ（Charge Coupled Device）等の撮像素子、Ａ／Ｄ変換部等から構成される撮影手段であり、光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを撮影手段として適用することとしてもよい。
【００４０】
表示部４０は、ＬＣＤ（Liquid Crystal Display）等を備えて構成される表示手段であり、制御部１１０の指示に従って操作画面を表示したり、撮影画像のプレ表示を行う。
【００４１】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返金口に排出する。
【００４２】
スピーカ５５は、入力される音データに基づいてガイドアナウンス音声等を出力する。
【００４３】
操作部６０は、プリントサイズ、プリント画像数等のプリント条件を設定するための表示部４０と一体的に構成されるタッチパネル、撮影室の内壁に設けられた選択ボタン、撮影ボタン等の各種機能ボタン等のハードキーを備えて構成され、押下されたボタンに対応する操作信号を制御部１１０に出力する。また、操作部６０は、数字キーが配列されたテンキーを有している。テンキーは、タッチパネル又はハードキーを用いられて構成されている。操作部６０は、タッチパネル又はハードキー等を用いてプリントサイズやプリント画像数、裁断画像を設定及び選択させることができるため、容易にプリントサイズやプリント画像数の入力指示や裁断画像の選択を行わせることができる。
【００４４】
プリンタ部７０は、制御部１１０から入力されるプリントデータに基づいて撮影画像を記録媒体上にプリントするプリント手段である。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００４５】
通信部８０は、ネットワークインターフェイスカード、モデム等の通信用インターフェイスから構成される通信手段であり、通信ネットワークＮ上の外部機器と相互に情報の送受信を行う。例えば、他の写真撮影装置に画像データを転送してプリントさせたり、ホストサーバ３から各種データや各種プログラムを受信して更新したり、携帯電話２等の携帯情報端末からプリントサイズナンバーを受信したりする。
【００４６】
裁断部９０は、制御部１１０から入力される裁断画像に基づいて、プリンタ部７０から出力された写真に対して裁断処理を行う。裁断処理としては、裁断処理が選択された写真に対して、設定されたプリントサイズにプリントされた写真の輪郭線上に非切断部と切断部とが連続してプリント用紙の厚さ方向を切断するものである。
【００４７】
切断形状としては、一点間隔で非切断部と切断部とか連続するミシン目切断形状、異なる長さの非切断部と切断部とが連続する寸留め切断形状、ハーフカット（半抜き）切断形状等を用いることができる。
【００４８】
入室センサＳは、顧客Ｍが撮影室Ｒに入室したことを検出するものであり、顧客Ｍの入室を検出するとその検出信号を制御部１１０に出力する。入室センサＳとしては、発光器と受光器とからなる光学式センサ等が適用可能である。
【００４９】
次に、本実施の形態の動作を説明する。
図４に、本実施の形態における写真撮影装置１により実行される撮影プリント処理のフローチャートを示す。
【００５０】
図４に示す撮影プリント処理では、まず、入室センサＳから入力される検出信号に基づいて、顧客が撮影室に入室したか否かが制御部１１０において判別され（ステップＳ１）、入室したと判別された場合（ステップＳ１：Ｙｅｓ）、表示部４０に撮影料金の料金ガイドを行う操作画面が表示される。顧客は、操作画面のガイドに従って規定の撮影料金をコインメック５０の入金口に投入する。
【００５１】
撮影料金が投入されると、コインメック５０において料金精算処理が行われ（ステップＳ２）、釣銭が有る場合は釣銭が返金口に排出される。次いで、表示部４０にカラー又は白黒のプリント条件を選択操作するための操作画面が表示され、顧客が、この操作画面上で所望するカラー又は白黒のいずれか一方を選択すると、選択されたカラー又は白黒のいずれか一方のプリント条件がＲＡＭ１４０に一時的に記憶され設定される（ステップＳ３）。
【００５２】
カラー又は白黒いずれか一方のプリント条件が設定された後、プリントサイズ・画像数設定処理Ｓ４が実行され（ステップＳ４）、設定されたプリントサイズとプリント画像数に基づいてプリントイメージが表示部４０に表示される。顧客が、操作画面上で表示されたプリントイメージから裁断処理を行う裁断画像を表示部４０と一体となったタッチパネルを押下することにより選択すると、選択された裁断画像がＲＡＭ１４０に一時的に記憶され、裁断画像が設定される（ステップＳ５）。表示部４０上に表示されたプリントイメージとタッチパネルとにより、裁断選択手段を実現することができる。
【００５３】
カラー又は白黒の設定、プリントサイズ及びプリント画像数の設定に基づいたプリントイメージの設定、裁断画像の設定等のプリント条件の設定が実行された後、撮影操作についての操作画面が表示され、顧客が操作画面上に表示された操作ボタンを押下操作することにより、ストロボユニット２０の制御によりストロボ２０ａが発光されるとともに、デジタルカメラ３０において撮影が行われる（ステップＳ６）。
【００５４】
複数回撮影された後、複数の撮影画像の画像データが生成されＲＡＭ１４０に画像データが一時的に記憶されると共に、当該複数の撮影画像に対して写真選択用にサイズ調整及びトリミング等の所定の画像処理が施され、その処理画像（選択画像）が生成されＲＡＭ１４０に選択画像が一時的に記憶される。そして、選択画像が表示された写真選択用の操作画面が表示部４０に表示される（ステップＳ７）。
【００５５】
操作画面上に表示された写真選択用の操作画面において、顧客が操作画面上に表示された複数の選択画像のうちのいずれかを選択すると（ステップＳ８）、選択された選択画像に対して所定の画像処理が施され、確認用の画像（確認画像）が生成される。その確認画像が表示された確認用の操作画面が表示部４０に表示される（ステップＳ９）。
【００５６】
また、確認画像に対し、設定されたプリント条件に従って、プリント出力用に階調処理変換、トリミング、サイズ調整等の各種画像処理が施され、プリント出力用の画像データ（出力画像データ）が生成され、ＲＡＭ１４０に一時的に記憶され設定される（ステップＳ１０）。
【００５７】
操作画面上に表示された確認用の操作画面において、顧客が操作画面上に表示された確認画像を観察し、画像の良否を判断する。そして顧客は、良好な画像ではないと判断した場合は撮り直しボタン（不図示）を選択し、良好な画像であると判断した場合にはプリントボタン（不図示）を選択する。
【００５８】
制御部１１０では、撮り直しボタン又はプリントボタンのいずれかが操作されたか否かが判断され（ステップＳ１１）、撮り直しボタンが操作された場合は（ステップＳ１１：撮り直し）、ステップＳ６の処理に戻り、再度撮影が行われる。
【００５９】
一方、プリントボタンが操作された場合は（ステップＳ１１：プリント）、ＲＡＭ１４０に記憶されている出力画像データが読み出され、プリンタ部７０に出力される。プリンタ部７０では、出力画像データに基づくプリント処理が行われる（ステップＳ１２）。
【００６０】
プリントされたプリント写真は、裁断ユニット９０に搬送され、裁断ユニット９０において、設定された裁断処理が実行される（ステップＳ１３）。裁断処理されたプリント写真が取出口７１に排出されると（ステップＳ１４）、本処理が終了される。
【００６１】
次に、ステップＳ４において実行されるプリントサイズ・画像数設定処理の動作を説明する。図５に、本実施の形態における写真撮影装置１により実行されるプリントサイズ・画像数設定処理のフローチャートを示す。
【００６２】
まず、カラー又は白黒のプリント条件の設定がされた後（ステップＳ４後）、プリントされる写真の種類を選択させる画面（写真種選択画面）が表示部４０に表示される（ステップＳ２１）。
【００６３】
ここで表示される写真の種類は、一般用途サイズデータ群１６１ａの用途データを示すボタンが選択可能に表示されていると共に、一般用途サイズデータ群１６１ａ以外を示すその他のボタンが表示されている。
【００６４】
操作画面上に表示された写真種選択画面において、顧客が操作画面上に表示された一般用途サイズデータ群１６１ａの用途データのいずれか又はその他を選択する。
【００６５】
制御部１１０では、一般用途サイズデータ群１６１ａの用途データのいずれか又はその他のボタンが操作されたか否かが判断され（ステップＳ２２）、一般用途サイズデータ群１６１ａのいずれかの用途データを示すボタンが操作された場合（ステップＳ２２：Ｙｅｓ）、選択された用途データに対応したプリントサイズがＲＡＭ１４０内に一時的に記憶され設定される。
【００６６】
一般用途サイズデータ群１６１ａ以外を示すその他のボタンが操作された場合（ステップＳ２２：Ｎｏ）、プリントサイズを数値で入力するか又はプリントサイズナンバーを入力するかを選択させる操作画面が表示部４０に表示される。
【００６７】
操作画面上に表示された数値入力又はプリントサイズナンバー入力選択画面において、顧客がプリントサイズを所望の数値で入力したい場合には、数値入力選択ボタン（不図示）を選択し、規格サイズではあるが、一般用途サイズデータ群１６１ａには含まれないプリントサイズである場合には、プリントサイズナンバー入力ボタン（不図示）を選択する。
【００６８】
制御部１１０では、数値入力選択ボタン又はプリントサイズナンバー入力ボタンのいずれかが操作されたか否かが判断され（ステップＳ２３）、数値入力選択ボタンが操作された場合は（ステップＳ２３：Ｙｅｓ）、縦の長さデータの入力受け付け操作画面が表示される。
【００６９】
顧客が操作部６０を操作して所望の縦の長さの数値を入力すると、操作部６０から入力された縦の長さの数値は、ＲＡＭ１４０に一時的に記憶され設定される（ステップＳ２４）。縦の長さが設定された後、横の長さデータの入力受け付け操作画面が表示される。顧客が操作部６０を操作して所望の横の長さの数値を入力すると、操作部６０から入力された横の長さの数値は、ＲＡＭ１４０に一時的に記憶され設定される（ステップＳ２５）。ＲＡＭ１４０内に縦の長さと横の長さが設定されることにより、プリントサイズが設定される。
【００７０】
プリントサイズナンバー入力ボタンが操作された場合は（ステップＳ２３：Ｎｏ）、プリントサイズナンバーを入力させる操作画面が表示部４０に表示される。顧客は、通信部８０を介して携帯電話２からプリントサイズナンバーを送信する。
【００７１】
なお、本実施の形態では、プリントサイズナンバーは、通信部８０を介して受信される形態を説明するが、操作部６０を操作することにより入力される形態でもよい。
【００７２】
制御部１１０は、通信部８０を介してプリントサイズナンバーが受信されたか否かを判別し（ステップＳ２６）、プリントサイズナンバーが受信されていないと判別された場合（ステップＳ２６；Ｎｏ）、プリントサイズナンバーが受信されるまで待機する。
【００７３】
プリントサイズナバーが受信されたと判別された場合（ステップＳ２６；Ｙｅｓ）、記憶部１６０に記憶されている規格サイズデータテーブル１６１が読み出され、受信されたプリントサイズナバーと一致するプリントサイズナンバーが特殊用途サイズデータ群１６１ｂから検索され、一致したプリントサイズナバーに対する国名データ、用途データ、プリントサイズデータがＲＡＭ１４０内に一時的に記憶され設定される（ステップＳ２７）。
【００７４】
プリントサイズが設定されると（ステップＳ２２；Ｙｅｓ、ステップＳ２５後、ステップＳ２７後）、選択されたプリントタイプに対応したプリントサイズを確認する確認画面としての操作画面が表示部４０に表示される（ステップＳ２８）。
【００７５】
顧客は、操作画面上に表示された確認画面において、表示されたプリントサイズが所望のプリントサイズである場合には、設定ボタン（不図示）を選択し、所望のプリントサイズでない場合には再設定ボタン（不図示）を選択する。
【００７６】
制御部１１０は、設定ボタン又は再設定ボタンのいずれかが操作されたか否かが判別され（ステップＳ２９）、再設定ボタンが操作された場合は（ステップＳ２９：再設定）、ステップＳ２１に戻る。
【００７７】
設定ボタンが操作された場合（ステップＳ２９；設定）、プリント用紙サイズに対して、プリント可能範囲内でのプリント出来る最大画像数（プリント可能最大画像数）が算出され、算出されたプリント最大画像数が表示部４０に表示される（ステップＳ３０）。
【００７８】
プリント可能最大画像数の算出方法としては、例えば、設定されたプリントサイズの縦の長さ及び横の長さと、プリント用紙サイズにおけるプリント可能範囲の縦の長さ及び横の長さとに基づいて算出する方法がある。プリントサイズの縦の長さが４６[ｍｍ]、横の長さが３６[ｍｍ]であり、プリント可能範囲の縦の長さが１０６[ｍｍ]、横の長さが１５２[ｍｍ]であった場合、プリント可能最大画像数は、縦方向に２枚、横方向に３枚の計６枚と算出される。
【００７９】
また、プリント可能範囲とは、プリント用紙上において、設定されたプリントサイズの画像をプリントできる範囲であり、予め他のプリントサイズとプリント画像数が設定されている場合には、予め設定されているプリントサイズとプリント画像数がプリントされる範囲外を示すものである。
【００８０】
顧客は、操作画面上に表示されたプリント可能最大画像数において、表示されたプリント可能最大画像数の範囲内から所望のプリント画像数を操作部６０から入力する。
【００８１】
制御部１１０は、プリント画像数が入力されると、入力されたプリント画像数がＲＡＭ１４０内に一時的に記憶され設定される（ステップＳ３１）。そして、設定されたプリントサイズとプリント画像数等のプリント条件に従い、プリントイメージが作成され、表示部４０にプリントイメージが表示される（ステップＳ３２）。
【００８２】
図６に、表示部４０に表示されるプリントイメージｄ１の一例を示す。
図６に示すプリントイメージｄ１は、プリントサイズの縦の長さｄ１１及び横の長さｄ１２と、設定されたプリント画像数分のサンプル画像ｄ１３と、ステップＳ３においてカラー／白黒選択の結果ｄ１４等の設定されたプリント条件が表示され、更に異なるプリントサイズを追加するための追加ボタンｄ１５と、表示されたプリントイメージで良い旨を指示する了解ボタンｄ１６とが選択可能に表示されている。
【００８３】
顧客は、操作画面上に表示されたプリントイメージｄ１において、更に異なるプリントサイズを追加する場合には、追加ボタンｄ１５を選択し、表示されたプリントイメージで良い場合には、了解ボタンｄ１６を選択する。
【００８４】
制御部１１０は、追加ボタンｄ１５又は了解ボタンｄ１６のいずれかが操作されたか否かが判別され（ステップＳ３３）、追加ボタンｄ１５が操作された場合は（ステップＳ３３：追加）、ステップＳ２１に戻る。
【００８５】
了解ボタンｄ１６が操作された場合（ステップＳ３３；了解）、表示されたプリントイメージのデータがＲＡＭ１４０内に一時的に記憶され、設定される。そして、ステップＳ５に進み、プリントサイズ・画像数設定処理が終了される。
【００８６】
図７に、本実施の形態における携帯電話２により実行されるプリントサイズナンバー送信処理のフローチャートを示す。
【００８７】
まず、携帯電話２は、写真撮影装置１に掲示されているホストサーバ３のアドレスを顧客が入力する又はネット検索機能が用いられることにより、ホストサーバ３のアドレスが取得される（ステップＳ４１）。
【００８８】
取得されたアドレスを用いて、ネットワークＮを介してホストサーバ３に対しての接続処理が行われる（ステップＳ４２）。
【００８９】
ホストサーバ３との接続処理が実行されると、ホストサーバ３内に記憶されている複数のデータ一覧が参照される（ステップＳ４３）。顧客は、所望するプリントサイズを示すプリントサイズナンバーをデータ一覧から検索すると、携帯電話２が顧客から操作指示に応じて、所望のプリントサイズを示すプリントサイズナンバーの要求信号をホストサーバ３へ送信する。ホストサーバ３は、携帯電話２からプリントサイズナンバーの要求信号が受信された場合、該当するプリントサイズナンバーが携帯電話２に送信される。携帯電話２は、ホストサーバ３から送信されたプリントサイズナンバーが受信された場合、プリントサイズナンバーが一時的に記憶されることにより、プリントサイズナンバーが取得される（ステップＳ４４）。
【００９０】
携帯電話２は、顧客が写真撮影装置１に対して取得されたプリントサイズナンバーの送信指示に応じて、プリントサイズナンバーが写真撮影装置１に送信される（ステップＳ４５）。
【００９１】
なお、プリントサイズナンバーを携帯電話２から写真撮影装置１に送信する場合、ネットワークＮを介して写真撮影装置１の通信部８０に送信する形態に限らず、ネットワークＮを介さずに通信部８０と赤外線通信を行うことにより送信する形態であってもよく、また、通信回線としては、有線無線を問わない。
【００９２】
プリントサイズハンバーを操作部６０から入力される場合、写真撮影装置１に特殊用途サイズデータ群１６１ｂの一覧が掲示されており、顧客がこの一覧から所望のプリントサイズナンバーを選択して操作部６０から入力される形態であってもよい。
【００９３】
このように、顧客が所望のプリントサイズとプリント画像数を自由に設定することができるため、設定されたプリントサイズ及びプリント画像数に合わせて撮影画像がプリントされるため、プリントサイズとプリント画像数の設定の自由度が向上され、顧客にとっての使い勝手を向上させることができ、必要とされるサイズの裁断時の負荷を軽減することができる。
また、予め定められているプリント可能範囲内においてプリント可能な最大画像数が算出され、算出されたプリント可能な最大画像数が表示されることにより、顧客に対してプリント可能な最大画像数から所望する画像数を選択させることができるため、顧客に対する利便性を向上させることができる。
更に、裁断処理が実行される撮影画像を選択させることができるため、顧客が所望する撮影画像のみに対して裁断処理を行うことができ、裁断時の負荷を軽減することができ、顧客に対する利便性を向上させることができる。
【００９４】
また、本発明は、上記実施の形態の内容に限定されるものではなく、本発明の主旨を逸脱しない範囲で適宜変更可能である。
【図面の簡単な説明】
【００９５】
【図１】本実施の形態における写真撮影装置１の概略構成図である。
【図２】写真撮影装置１の内部構成図である。
【図３】規格サイズデータテーブル１６１の一例である。
【図４】本実施の形態における写真撮影装置１により実行される撮影プリント処理のフローチャートである。
【図５】本実施の形態における写真撮影装置１により実行されるプリントサイズ・画像数設定処理のフローチャートである。
【図６】表示部４０に表示されるプリントイメージｄ１の一例である。
【図７】本実施の形態における携帯電話２により実行されるプリントサイズナンバー送信処理のフローチャートである。
【符号の説明】
【００９６】
１  写真撮影装置
２  携帯電話
３  ホストサーバ
１０  本体部
１１０  制御部
１２０  Ｉ／Ｏユニット
１３０  ＲＯＭ
１４０  ＲＡＭ
１５０  ＤＶＤ
１６０  記憶部
１６１  規格サイズデータテーブル
１６１ａ  一般用途サイズデータ群
１６１ｂ  特殊用途サイズデータ群
１６２  プリントサイズナンバーデータ
１６３  国名データ
１６４  用途データ
１６５  プリントサイズデータ
１６５ａ  縦の長さデータ
１６５ｂ  横の長さデータ
１７０  Ｉ／Ｆ
２０  ストロボユニット
２０ａ  ストロボ
３０  デジタルカメラ
４０  表示部
５０  コインメック
５５  スピーカ
６０  操作部
７０  プリンタ部
８０  通信部
９０  裁断部
Ｃ  椅子
Ｍ  顧客
Ｎ  通信ネットワーク
Ｒ  撮影室
Ｓ  入室センサ
【図１】
2006189534.tif 000003
【図２】
2006189534.tif 000004
【図３】
2006189534.tif 000005
【図４】
2006189534.tif 000006
【図５】
2006189534.tif 000007
【図６】
2006189534.tif 000008
【図７】
2006189534.tif 000009